(57)【要約】【課題】広い周波数帯域でインピーダンスが効果的に制御されることができるキャパシター部品を提供する。【解決手段】複数の誘電体層の積層構造、及び上記誘電体層を挟んで交互に配置された第１及び第２内部電極を含む本体と、上記本体において、互いに対向する第１面及び第２面に形成され、上記第１内部電極と連結された第１外部電極と、上記本体において、上記第１面と第２面とを連結し且つ互いに対向する第３面及び第４面の少なくとも一つに形成され、上記第２内部電極と連結された第２外部電極と、を含み、それぞれ上記第１及び第２内部電極の一部を含む複数のキャパシター部に区分され、上記複数のキャパシター部は第１及び第２キャパシター部を含み、上記第１キャパシター部に属する第１及び第２内部電極のリードの間の距離と、上記第２キャパシター部に属する第１及び第２内部電極のリードの間の距離とが互いに異なるキャパシター部品を提供する。【選択図】図２
2017220660.tif 000002
【特許請求の範囲】
【請求項１】
複数の誘電体層の積層構造、及び前記複数の誘電体層を挟んで交互に配置された第１及び第２内部電極を含む本体と、
前記本体において、互いに対向する第１面及び第２面に形成され、前記第１内部電極と連結された第１外部電極と、
前記本体において、前記第１面と第２面とを連結し且つ互いに対向する第３面及び第４面の少なくとも一つに形成され、前記第２内部電極と連結された第２外部電極と、を含み、
それぞれ前記第１及び第２内部電極の一部を含む複数のキャパシター部に区分され、前記複数のキャパシター部は第１及び第２キャパシター部を含み、
前記第１キャパシター部に属する第１及び第２内部電極のリードの間の距離と、前記第２キャパシター部に属する第１及び第２内部電極のリードの間の距離とが互いに異なる、キャパシター部品。
【請求項２】
前記複数のキャパシター部の少なくとも一部は、他のものと異なる共振周波数を発生させる、請求項１に記載のキャパシター部品。
【請求項３】
前記積層方向を基準として、前記第１キャパシター部に属する第１内部電極のリードと、前記第２キャパシター部に属する第１内部電極のリードとは異なる位置に配置される、請求項１または２に記載のキャパシター部品。
【請求項４】
前記積層方向を基準として、前記第１キャパシター部に属する第２内部電極のリードの幅と、前記第２キャパシター部に属する第２内部電極のリードの幅とが異なる、請求項１から３のいずれか一項に記載のキャパシター部品。
【請求項５】
前記第１キャパシター部に属する第２内部電極のリードの数と、前記第２キャパシター部に属する第２内部電極のリードの数とが異なる、請求項１から４のいずれか一項に記載のキャパシター部品。
【請求項６】
前記第１キャパシター部に属する第２内部電極は２個のリードを備え、前記第２キャパシター部に属する第２内部電極は１個のリードを備える、請求項５に記載のキャパシター部品。
【請求項７】
前記第１キャパシター部に属する第２内部電極の２個のリードは、その幅が互いに同一である、請求項６に記載のキャパシター部品。
【請求項８】
前記第２内部電極は、前記第３面に露出したリードを介してのみ前記第２外部電極と接続される、請求項１から７のいずれか一項に記載のキャパシター部品。
【請求項９】
前記第２外部電極は前記第４面には形成されない、請求項８に記載のキャパシター部品。
【請求項１０】
前記第１キャパシター部の間に前記第２キャパシター部が配置された形態である、請求項１から９のいずれか一項に記載のキャパシター部品。
【請求項１１】
前記第１キャパシター部に属する第１及び第２内部電極のリードの間の距離に比べて、前記第２キャパシター部に属する第１及び第２内部電極のリードの間の距離がより長い、請求項１０に記載のキャパシター部品。
【請求項１２】
前記第１キャパシター部に属する第２内部電極のリードの幅が、前記第２キャパシター部に属する第２内部電極のリードの幅より大きい、請求項１１に記載のキャパシター部品。
【請求項１３】
前記第１キャパシター部に属する第２内部電極は２個のリードを備え、前記第２キャパシター部に属する第２内部電極は１個のリードを備える、請求項１１または１２に記載のキャパシター部品。
【請求項１４】
前記第１内部電極は２個のリードを備え、それぞれ前記第１面及び第２面に露出したリードを介して前記第１外部電極と連結される、請求項１から１３のいずれか一項に記載のキャパシター部品。
【請求項１５】
前記第２内部電極は１個のリードを備え、前記第３面に露出したリードを介して前記第２外部電極と連結される、請求項１から１４のいずれか一項に記載のキャパシター部品。
【請求項１６】
前記第１及び第２内部電極は前記第３面に垂直に配置される、請求項１から１５のいずれか一項に記載のキャパシター部品。
【発明の詳細な説明】
【技術分野】
【０００１】
本発明は、キャパシター部品に関する。
【背景技術】
【０００２】
キャパシター部品の一つである積層セラミックキャパシターは、液晶ディスプレイ（ＬＣＤ：Ｌｉｑｕｉｄ  Ｃｒｙｓｔａｌ  Ｄｉｓｐｌａｙ）及びプラズマディスプレイパネル（ＰＤＰ：Ｐｌａｓｍａ  Ｄｉｓｐｌａｙ  Ｐａｎｅｌ）などの映像機器、コンピューター、スマートフォン、及び携帯電話などの種々の電子製品の印刷回路基板に取り付けられ、電気を充電または放電させる役割を担うチップ形態のコンデンサーである。
【０００３】
かかる積層セラミックキャパシター（ＭＬＣＣ：Ｍｕｌｔｉ−Ｌａｙｅｒｅｄ  Ｃｅｒａｍｉｃ  Ｃａｐａｃｉｔｏｒ）は、小型でありながら高容量が保障され、実装が容易であるという利点を有するため、種々の電子装置の部品として用いられることができる。
【０００４】
特に、コンピューターなどの中央処理装置（ＣＰＵ）のための電源供給装置は、低い電圧を提供する過程で、負荷電流の急激な変化による電圧ノイズが発生するという問題がある。このような電圧ノイズを抑制するためのデカップリングキャパシターの用途に、ＭＬＣＣが電源供給装置に広く用いられている。デカップリングなどの用途に用いられるＭＬＣＣにおいて、広い帯域でインピーダンスを低減しようとする試みが行われてきた。
【発明の概要】
【発明が解決しようとする課題】
【０００５】
本発明の一目的は、複数の共振周波数を有することで、広い周波数帯域でインピーダンスが効果的に制御されることができるキャパシター部品を提供することにある。また、本発明の他の目的は、かかるキャパシター部品を有することで、部品のサイズなどを減少させることにある。
【課題を解決するための手段】
【０００６】
上述の課題を解決するための方法として、本発明は、一実施形態により新たなキャパシター部品を提案し、具体的に、複数の誘電体層の積層構造、及び上記誘電体層を挟んで交互に配置された第１及び第２内部電極を含む本体と、上記本体において、互いに対向する第１面及び第２面に形成され、上記第１内部電極と連結された第１外部電極と、上記本体において、上記第１面と第２面とを連結し且つ互いに対向する第３面及び第４面の少なくとも一つに形成され、上記第２内部電極と連結された第２外部電極と、を含み、それぞれ上記第１及び第２内部電極の一部を含む複数のキャパシター部に区分され、上記複数のキャパシター部は第１及び第２キャパシター部を含み、上記第１キャパシター部に属する第１及び第２内部電極のリードの間の距離と、上記第２キャパシター部に属する第１及び第２内部電極のリードの間の距離とが互いに異なる形態を有する。
【０００７】
一実施形態において、上記複数のキャパシター部の少なくとも一部は、他のものと異なる共振周波数を発生させることができる。
【０００８】
一実施形態において、上記積層方向を基準として、上記第１キャパシター部に属する第１内部電極のリードと、上記第２キャパシター部に属する第１内部電極のリードとは、異なる位置に配置されることができる。
【０００９】
一実施形態において、上記第１キャパシター部に属する第２内部電極のリードの幅と、上記第２キャパシター部に属する第２内部電極のリードの幅とが異なってもよい。
【００１０】
一実施形態において、上記第１キャパシター部に属する第２内部電極のリードの数と、上記第２キャパシター部に属する第２内部電極のリードの数とが異なってもよい。
【００１１】
一実施形態において、上記第１キャパシター部に属する第２内部電極は２個のリードを備え、上記第２キャパシター部に属する第２内部電極は１個のリードを備えることができる。
【００１２】
一実施形態において、上記第１キャパシター部に属する第２内部電極の２個のリードは、その幅が互いに同一であってもよい。
【００１３】
一実施形態において、上記第２内部電極は、上記第３面に露出したリードを介してのみ上記第２外部電極と接続されることができる。
【００１４】
一実施形態において、上記第２外部電極は上記第４面には形成されなくてもよい。
【００１５】
一実施形態において、上記第１キャパシター部の間に上記第２キャパシター部が配置された形態であることができる。
【００１６】
一実施形態において、上記第１キャパシター部に属する第１及び第２内部電極のリードの間の距離に比べて、上記第２キャパシター部に属する第１及び第２内部電極のリードの間の距離がより長くてもよい。
【００１７】
一実施形態において、上記第１キャパシター部に属する第２内部電極のリードの幅が、上記第２キャパシター部に属する第２内部電極のリードの幅より大きくてもよい。
【００１８】
一実施形態において、上記第１キャパシター部に属する第２内部電極は２個のリードを備え、上記第２キャパシター部に属する第２内部電極は１個のリードを備えることができる。
【００１９】
一実施形態において、上記第１内部電極は２個のリードを備え、それぞれ上記第１面及び第２面に露出したリードを介して上記第１外部電極と連結されることができる。
【００２０】
一実施形態において、上記第２内部電極は１個のリードを備え、上記第３面に露出したリードを介して上記第２外部電極と連結されることができる。
【００２１】
一実施形態において、上記第１及び第２内部電極は上記第３面に垂直に配置されることができる。
【発明の効果】
【００２２】
本発明の様々な効果の一効果は、広い周波数帯域でノイズを効果的に除去することができる、インピーダンス低減型キャパシター部品を得ることができる。
【図面の簡単な説明】
【００２３】
【図１】本発明の一実施形態によるキャパシター部品を概略的に示した斜視図である。
【図２】図１のキャパシター部品における本体の形態を概略的に示した斜視図である。
【図３】図１のキャパシター部品における第１キャパシター部に属する第１及び第２内部電極の形態を概略的に示した平面図である。
【図４】図１のキャパシター部品における第２キャパシター部に属する第１及び第２内部電極の形態を概略的に示した平面図である。
【図５】第１キャパシター部における第１内部電極と第２内部電極とを重ねて示したものである。
【図６】第２キャパシター部における第１内部電極と第２内部電極とを重ねて示したものである。
【図７】本発明のキャパシター部品が基板に実装された形態を示す。
【図８】本発明により得られたキャパシター部品のインピーダンス特性を示したグラフである。
【図９】変形例によるキャパシター部品に採用され得る本体の形態を概略的に示した斜視図である。
【図１０】変形例によるキャパシター部品における第１キャパシター部に属する第１及び第２内部電極の形態を概略的に示した平面図である。
【図１１】変形例によるキャパシター部品における第２キャパシター部に属する第１及び第２内部電極の形態を概略的に示した平面図である。
【図１２】第１キャパシター部における第１内部電極と第２内部電極とを重ねて示したものである。
【図１３】第２キャパシター部における第１内部電極と第２内部電極とを重ねて示したものである。
【発明を実施するための形態】
【００２４】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００２５】
また、本発明を明確に説明すべく、図面において説明と関係ない部分は省略し、様々な層及び領域を明確に表現するために厚さを拡大して示し、同一思想の範囲内において機能が同一である構成要素に対しては同一の参照符号を用いて説明する。さらに、明細書全体において、ある構成要素を「含む」というのは、特に反対である記載がない限り、他の構成要素を除外するのではなく、他の構成要素をさらに含むことができることを意味する。
【００２６】
図１は本発明の一実施形態によるキャパシター部品を概略的に示した斜視図である。図２は図１のキャパシター部品における本体の形態を概略的に示した斜視図である。図３は図１のキャパシター部品における第１キャパシター部に属する第１及び第２内部電極の形態を概略的に示した平面図である。図４は図１のキャパシター部品における第２キャパシター部に属する第１及び第２内部電極の形態を概略的に示した平面図である。
【００２７】
図１〜図４をともに参照すると、本発明の一実施形態によるキャパシター部品１００は、本体１０１と、第１内部電極１２１、１２３と、第２内部電極１２２、１２４と、第１及び第２外部電極１４０、１５０と、を含み、それぞれ第１及び第２内部電極１２１〜１２４の一部を含む複数のキャパシター部Ｃ１、Ｃ２に区分される。本実施形態では、複数のキャパシター部が第１及び第２キャパシター部Ｃ１、Ｃ２を含む例を説明しているが、追加的なキャパシター部を含んでもよい。
【００２８】
第１及び第２キャパシター部Ｃ１、Ｃ２は、図５及び図６に示した形態から分かるように、第１キャパシター部Ｃ１に属する第１及び第２内部電極１２１、１２２のリードの間の距離Ｌ１、Ｌ２と、第２キャパシター部Ｃ２に属する第１及び第２内部電極１２３、１２４のリードの間の距離Ｌ３、Ｌ４とが互いに異なる。リードの間の距離が異なることで、電流経路が変わるため、複数のキャパシター部の少なくとも一部は、他のものと異なる共振周波数を発生させることができる。このように、本実施形態では、第１及び第２キャパシター部Ｃ１、Ｃ２の共振周波数が互いに異なるため、キャパシター部品１００をフィルターなどに適用する場合、ノイズの除去効果が改善することができる。
【００２９】
第１外部電極１４０は、本体１０１において互いに対向する第１面Ｓ１及び第２面Ｓ２に形成され、第１内部電極１２１、１２３と連結される。第１外部電極１４０のうち、第１面Ｓ１に形成されたものを外部電極１４１と、第２面Ｓ２に形成されたものを外部電極１４２と示す。この際、第１面Ｓ１と第３面Ｓ３は互いに垂直に配置されることができる。これにより、本体１０１は、直方体またはこれと類似の形状を有することができる。
【００３０】
第２外部電極１５０は、本体１０１において、第１面Ｓ１と第２面Ｓ２とを連結し且つ互いに対向する第３面Ｓ３及び第４面Ｓ４の少なくとも何れか一つの面に形成され、第２内部電極１２２、１２４と連結される。本実施形態では、第２外部電極１５０が第３面Ｓ３に形成され、第４面Ｓ４には形成されない３端子構造を示している。このような外部電極構造を有するキャパシター部品１００は、図７に示された形態のように実装されることができる。すなわち、３端子形態のキャパシター部品１００は、第２外部電極１５０が形成された第３面Ｓ３が実装基板１６０に向かうように配置されて回路パターン１６１と接続される。この際、キャパシター部品１００を安定して実装するために半田１６２が提供されることができる。この際、キャパシター部品１００は、垂直実装方式、すなわち、第１及び第２内部電極１２１〜１２４が実装面（第３面に平行な面）に垂直に配置された形態である。このような垂直実装方式により、内部電極１２１〜１２４のリードが実装面に近く配置されることができるため、等価直列インダクタンス（ＥＳＬ）とインピーダンスを低減することができる。
【００３１】
本体１０１は、複数の誘電体層１１０が積層された積層構造、及び誘電体層１１０を挟んで交互に配置された第１及び第２内部電極１２１〜１２４を含む。本体１０１に含まれた誘電体層１１０としては、当業界において公知のセラミックなどの誘電物質を用いることができ、例えば、ＢａＴｉＯ３（チタン酸バリウム）系セラミック粉末などを含むことができる。ここで、上記ＢａＴｉＯ３系セラミック粉末は、例えば、ＢａＴｉＯ３にＣａ（カルシウム）、Ｚｒ（ジルコニウム）などが一部固溶した（Ｂａ１−ｘＣａｘ）ＴｉＯ３、Ｂａ（Ｔｉ１−ｙＣａｙ）Ｏ３、（Ｂａ１−ｘＣａｘ）（Ｔｉ１−ｙＺｒｙ）Ｏ３またはＢａ（Ｔｉ１−ｙＺｒｙ）Ｏ３などが挙げられるが、本発明がこれに限定されるものではない。
【００３２】
図２、図３及び図４に示された形態のように、第１内部電極１２１、１２３及び第２内部電極１２２、１２４は、リードを備えて外部電極１４０、１５０と連結される。具体的に、図３を参照すると、第１キャパシター部Ｃ１に属する第１内部電極１２１は２個のリードＲ１、Ｒ２を備え、それぞれ第１面Ｓ１と第２面Ｓ２に露出したリードＲ１、Ｒ２を介して第２外部電極１４０と連結される。また、第１キャパシター部Ｃ１に属する第２内部電極１２２は１個のリードＲ５を備え、第３面Ｓ３に露出したリードＲ５を介して第２外部電極１５０と連結される。但し、リードの数や形態は、本発明の技術的思想を維持する範囲で変更され得る。
【００３３】
また、図４を参照すると、第２キャパシター部Ｃ２に属する第１内部電極１２３は２個のリードＲ３、Ｒ４を備え、それぞれ第１面Ｓ１と第２面Ｓ２に露出したリードＲ３、Ｒ４を介して第２外部電極１４０と連結される。また、第２キャパシター部Ｃ２に属する第２内部電極１２４は１個のリードＲ６を備え、第３面Ｓ３に露出したリードＲ６を介して第２外部電極１５０と連結される。同様に、リードの数や形態は、本発明の技術的思想を維持する範囲で変更され得る。
【００３４】
この際、示された形態のように、第１及び第２内部電極１２１〜１２４の積層方向を基準として、第１キャパシター部Ｃ１に属する第１内部電極１２１のリードＲ１、Ｒ２と、第２キャパシター部Ｃ２に属する第１内部電極１２３のリードＲ３、Ｒ４とは、異なる位置に配置される。本実施形態のように、互いに異なるキャパシター部Ｃ１、Ｃ２において同一極性の内部電極１２１〜１２４のリードＲ１〜Ｒ６を互いに異なる位置に配置することは、異なる極性の内部電極１２１〜１２４のリードＲ１〜Ｒ６間の距離を異ならせるための方法の一例である。
【００３５】
また、このような第１内部電極１２１、１２３のリードＲ１〜Ｒ４の配列方式とともに、またはこれと独立して、第１キャパシター部Ｃ１に属する第２内部電極１２２のリードＲ５の幅と、第２キャパシター部Ｃ２に属する第２内部電極１２４のリードＲ６の幅とが異なる。本実施形態では、第１キャパシター部Ｃ１に属する第２内部電極１２２のリードＲ５の幅が、第２キャパシター部Ｃ２に属する第２内部電極１２４のリードＲ６の幅より大きい。
【００３６】
図５及び図６を参照して、上述の構造を有することで、キャパシター部におけるリード間の距離が異なることについて説明する。図５は第１キャパシター部Ｃ１における第１内部電極１２１と第２内部電極１２２とを重ねて示したものであり、図６は第２キャパシター部Ｃ２における第１内部電極１２３と第２内部電極１２４とを重ねて示したものである。
【００３７】
示された形態のように、第１キャパシター部Ｃ１に属する第１内部電極１２１のリードＲ１、Ｒ２と第２内部電極１２２のリードＲ５との間の距離Ｌ１、Ｌ２は、第２キャパシター部Ｃ２に属する第１内部電極１２３のリードＲ３、Ｒ４と第２内部電極１２４のリードＲ６との間の距離Ｌ３、Ｌ４より短い。このようなリードの間の距離差によって、キャパシター部Ｃ１、Ｃ２は、互いに並列連結されて互いに異なる共振周波数を発生させることができる。
【００３８】
一方、リードの間の距離Ｌ３、Ｌ４がより長い第２キャパシター部Ｃ２は、等価直列インダクタンス（ＥＳＬ）及び等価直列抵抗（ＥＳＲ）が相対的に高い。この際、図２に示された形態のように、第１キャパシター部Ｃ１の間に第２キャパシター部Ｃ２を配置することで、キャパシター部品１００の全体的なＥＳＬを低めるとともに、ＥＳＲを適宜調節することができる。
【００３９】
図８は本発明により得られたキャパシター部品のインピーダンス特性を示したグラフである。図８のインピーダンス特性グラフに示されたように、本実施形態によるキャパシター部品１００は、単一部品内で互いに異なる共振周波数を有する２種のキャパシター（第１及び第２キャパシター部）が含まれた構造であって、広い周波数帯域でインピーダンスを低く維持することができる。したがって、かかるキャパシター部品１００を用いることで、電源装置や高速ＭＰＵなどに用いられるデカップリングキャパシターの数を減少させることができ、デカップリングキャパシターの実装コストや空間を効果的に低減することができる。
【００４０】
図９〜図１３を参照して、変形実施例を説明する。図９は変形例によるキャパシター部品に採用され得る本体の形態を概略的に示した斜視図である。図１０は変形例によるキャパシター部品における第１キャパシター部に属する第１及び第２内部電極の形態を概略的に示した平面図である。図１１は変形例によるキャパシター部品における第２キャパシター部に属する第１及び第２内部電極の形態を概略的に示した平面図である。そして、図１２は第１キャパシター部Ｃ１における第１内部電極２２１と第２内部電極２２２とを重ねて示したものであり、図１３は第２キャパシター部Ｃ２における第１内部電極２２３と第２内部電極２２４とを重ねて示したものである。
【００４１】
図１０に示された形態のように、第１キャパシター部Ｃ１に属する第１内部電極２２１は２個のリードＲ１、Ｒ２を備え、それぞれ第１面Ｓ１と第２面Ｓ２に露出する。また、第１キャパシター部Ｃ１に属する第２内部電極２２２は２個のリードＲ５、Ｒ６を備え、第３面Ｓ３に露出する。但し、リードの数や形態は、本発明の技術的思想を維持する範囲で変更され得る。
【００４２】
図１１に示された形態のように、第２キャパシター部Ｃ２に属する第１内部電極２２３は２個のリードＲ３、Ｒ４を備え、それぞれ第１面Ｓ１と第２面Ｓ２に露出する。また、第２キャパシター部Ｃ２に属する第２内部電極２２４は１個のリードＲ７を備え、第３面Ｓ３に露出する。同様に、リードの数や形態は、本発明の技術的思想を維持する範囲で変更され得る。
【００４３】
上述の実施形態と同様に、第１及び第２内部電極１２１〜１２４の積層方向を基準として、第１キャパシター部Ｃ１に属する第１内部電極２２１のリードＲ１、Ｒ２と、第２キャパシター部Ｃ２に属する第１内部電極２２３のリードＲ３、Ｒ４とは、異なる位置に配置される。これは、互いに異なる極性の内部電極２２１〜２２４のリードＲ１〜Ｒ７間の距離を異ならせるための方法の一例である。
【００４４】
また、このような第１内部電極２２１、２２３のリードＲ１〜Ｒ４の配列方式とともに、またはこれと独立して、第１キャパシター部Ｃ１に属する第２内部電極２２２と第２キャパシター部Ｃ２に属する第２内部電極２２４は、互いにリードの数が異なる。具体的に、第１キャパシター部Ｃ１に属する第２内部電極２２２は２個のリードＲ５、Ｒ６を備え、第２キャパシター部Ｃ２に属する第２内部電極２２４は１個のリードＲ７を備える。この際、上述の実施形態と異なって、第１キャパシター部Ｃ１に属する第２内部電極２２２の２個のリードＲ５、Ｒ６の幅は、互いに同一であってもよい。
【００４５】
本変形例のように、リードの数と第１及び第２キャパシター部Ｃ１、Ｃ２の共振周波数を異ならせることができる。すなわち、図１２及び図１３に示された形態のように、第１キャパシター部Ｃ１に属する第１内部電極２２１のリードＲ１、Ｒ２と第２内部電極２２２のリードＲ５、Ｒ６との間の距離Ｌ１、Ｌ２は、第２キャパシター部Ｃ２に属する第１内部電極２２３のリードＲ３、Ｒ４と第２内部電極２２４のリードＲ７との間の距離Ｌ３、Ｌ４より短い。このようなリードの間の距離差によって、キャパシター部Ｃ１、Ｃ２は、互いに並列連結され、互いに異なる共振周波数を発生させることができる。
【００４６】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００４７】
１００  キャパシター部品
１０１  本体
１１０  誘電体層
１２１、１２２、１２３、１２４、２２１、２２２、２２３、２２４  内部電極
１４０、１４１、１４２、１５０  外部電極
１６０  実装基板
１６１  回路パターン
１６２  半田
Ｒ１、Ｒ２、Ｒ３、Ｒ４、Ｒ５、Ｒ６、Ｒ７  リード
Ｓ１、Ｓ２、Ｓ３、Ｓ４  第１面、第２面、第３面、第４面
【図１】
2017220660.tif 000003
【図２】
2017220660.tif 000004
【図３】
2017220660.tif 000005
【図４】
2017220660.tif 000006
【図５】
2017220660.tif 000007
【図６】
2017220660.tif 000008
【図７】
2017220660.tif 000009
【図８】
2017220660.tif 000010
【図９】
2017220660.tif 000011
【図１０】
2017220660.tif 000012
【図１１】
2017220660.tif 000013
【図１２】
2017220660.tif 000014
【図１３】
2017220660.tif 000015